(57)【要約】【課題】煙などが充満した場合でも、誘導灯装置を視認しやすくすることにより、屋内にいる人を安全に避難誘導する。【解決手段】パネルユニット１２０は、避難誘導図形１２４を表示する誘導パネル１２１と、避難誘導図形１２４に隣接する周囲に設けられた透光部１２３を通して光を放射する光源を有する外周光源モジュール１３０とを有する。外周光源モジュール１３０の光源は、指向性が強く、２分の１ビーム角が３０度以下である。制御回路（点灯制御部）は、煙感知装置からの煙感知信号に基づいて、煙を感知した場合に、外周光源モジュール１３０の光源を点灯させる。【選択図】図３
2012247845.tif 000002
【特許請求の範囲】
【請求項１】
避難誘導図形を表示する表示部と、
２分の１ビーム角が３０度以下の配光特性を有し、上記表示部に隣接する位置に設けられた光源と、
煙を感知する煙感知装置からの煙感知信号を入力し、入力した煙感知信号に基づいて、上記煙感知装置が煙を感知した場合に、上記光源を点灯する点灯制御部とを有することを特徴とする誘導灯装置。
【請求項２】
上記誘導灯装置は、上記光源を複数有し、
上記複数の光源は、上記表示部を取り囲む位置に設けられていることを特徴とする請求項１に記載の誘導灯装置。
【請求項３】
上記複数の光源は、光を放射する中心方向が略同一であることを特徴とする請求項２に記載の誘導灯装置。
【請求項４】
上記光源は、光を放射する中心方向が、上記表示部の正面方向から見て外側または内側に傾いた方向であることを特徴とする請求項１または請求項２に記載の誘導灯装置。
【請求項５】
上記光源は、放射する光の主波長が５５０ナノメートル以上６２０ナノメートル以下であることを特徴とする請求項１乃至請求項４のいずれかに記載の誘導灯装置。
【請求項６】
上記点灯制御部は、周辺温度を感知する温度感知装置からの温度感知信号を入力し、入力した温度感知信号に基づいて、上記温度感知装置が感知した周辺温度が所定の温度以上である場合に、上記光源を点灯しないことを特徴とする請求項１乃至請求項５のいずれかに記載の誘導灯装置。
【請求項７】
請求項１乃至請求項６のいずれかに記載の誘導灯装置と、
煙を感知し、上記誘導灯装置が入力する煙感知信号を生成する煙感知装置とを有することを特徴とする誘導灯システム。
【発明の詳細な説明】
【技術分野】
【０００１】
この発明は、火災発生時などの非常時に、屋内にいる人を避難誘導する誘導灯装置に関する。
【背景技術】
【０００２】
誘導灯装置は、火災発生時などに、消防法などで定められた避難誘導図形を表示することにより、屋内にいる人に、避難口の位置を知らせ、避難誘導をする。
【先行技術文献】
【特許文献】
【０００３】
【特許文献１】特開昭６３−１６５９９９号公報
【発明の概要】
【発明が解決しようとする課題】
【０００４】
火災の発生により煙が充満すると、誘導灯装置が見えづらくなる可能性がある。
この発明は、例えば上記のような課題を解決するためになされたものであり、煙などが充満した場合でも、誘導灯装置を視認しやすくすることにより、屋内にいる人を安全に避難誘導することを目的とする。
【課題を解決するための手段】
【０００５】
この発明にかかる誘導灯装置は、避難誘導図形を表示する表示部と、２分の１ビーム角が３０度以下の配光特性を有し、上記表示部に隣接する位置に設けられた光源と、煙を感知する煙感知装置からの煙感知信号を入力し、入力した煙感知信号に基づいて、上記煙感知装置が煙を感知した場合に、上記光源を点灯する点灯制御部とを有することを特徴とする。
【発明の効果】
【０００６】
この発明にかかる誘導灯装置によれば、火災発生により煙などが充満した場合でも、誘導灯装置を視認しやすくなり、屋内にいる人を安全に避難誘導することができる。
【図面の簡単な説明】
【０００７】
【図１】実施の形態１における誘導灯装置１００の外観を示す斜視図。
【図２】実施の形態１における誘導灯装置１００の内部構造を示す正視図及び断面図。
【図３】実施の形態１におけるパネルユニット１２０の構造を示す正視図。
【図４】実施の形態１における誘導パネル１２１の構造を示す正視図及び断面図。
【図５】実施の形態１における外周光源モジュール１３０の構造を示す正視図及び断面図。
【図６】実施の形態１における誘導灯システム８００及び誘導灯装置１００を示すブロック図。
【図７】実施の形態１における誘導灯装置１００の周辺における避難誘導図形１２４の見かけ上の輝度を示す図。
【図８】実施の形態１における誘導灯装置１００の周辺における透光部１２３を通して見える光源１３２の見かけ上の輝度を示す図。
【図９】実施の形態２における誘導パネル１２１の構造を示す側面視拡大断面図。
【図１０】実施の形態３における誘導パネル１２１の構造を示す底面視拡大断面図。
【図１１】実施の形態４における誘導パネル１２１の構造を示す底面視拡大断面図。
【図１２】実施の形態５における誘導灯システム８００及び誘導灯装置１００を示すブロック図。
【発明を実施するための形態】
【０００８】
実施の形態１．
実施の形態１について、図１〜図８を用いて説明する。
【０００９】
図１は、この実施の形態における誘導灯装置１００の外観を示す斜視図である。
誘導灯装置１００（誘導灯器具）は、避難口の近傍の壁面や天井面に設置される。誘導灯装置１００は、火災発生などの非常時に、屋内にいる人に避難口（非常口）を知らせ、避難誘導をする。
誘導灯装置１００は、例えば、本体１１０（誘導灯筐体）と、パネルユニット１２０とを有する。本体１１０は、例えば、直方体箱状である。パネルユニット１２０は、本体１１０の一面に配置されている。パネルユニット１２０は、表側に、消防法等で定められた避難誘導図形が描かれている。
【００１０】
図２は、この実施の形態における誘導灯装置１００の内部構造を示す正視図及び断面図である。
この図は、誘導灯装置１００のパネルユニット１２０を外したところを示している。本体１１０は、パネルユニット１２０を配置する側が開口している。誘導灯装置１００は、本体１１０の内側に、電源ユニット１６０と、バッテリー１７０と、主光源モジュール１８０と、ハーネス１９１，１９２とを有する。
主光源モジュール１８０（主光源回路）は、パネルユニット１２０に描かれた避難誘導図形を内側から照らして光らせる。主光源モジュール１８０は、本体１１０内部の上部に、下向きに配置されている。主光源モジュール１８０は、例えば、基板１８１と、光源１８２とを有する。光源１８２（主光源）は、例えばＬＥＤや蛍光灯や冷陰極線ランプなど、電気エネルギーにより発光する光源である。光源１８２は、基板１８１に実装されている。基板１８１は、例えば、プリント配線板である。基板１８１には、プリント配線や基板１８１に実装された部品などにより、電源ユニット１６０から供給される電力を光源１８２に対して供給する回路が形成されている。
バッテリー１７０は、平常時において、電源ユニット１６０から供給される電力により充電される。バッテリー１７０は、停電時において、充電された電力を電源ユニット１６０に対して供給する。なお、バッテリー１７０は、誘導灯装置１００の内部ではなく、誘導灯装置１００の外部に別置きする構成であってもよい。
電源ユニット１６０は、平常時において、商用電源などの電源から電力（交流電力）の供給を受けて、バッテリー１７０を充電するとともに、主光源モジュール１８０に電力を供給して、光源１８２を点灯させる。また、電源ユニット１６０は、停電時において、バッテリー１７０から電力（直流電力）の供給を受けて、主光源モジュール１８０に電力を供給して、光源１８２を点灯させる。
ハーネス１９１は、電源ユニット１６０とバッテリー１７０との間を物理的・電気的に接続している。ハーネス１９２は、電源ユニット１６０と主光源モジュール１８０との間を物理的・電気的に接続している。
【００１１】
図３は、この実施の形態におけるパネルユニット１２０の構造を示す正視図である。
パネルユニット１２０は、例えば、誘導パネル１２１と、外周光源モジュール１３０と、ハーネス１９３，１９４とを有する。
誘導パネル１２１は、光を透過する樹脂などの材料により形成されている。誘導パネル１２１は、例えば、平板部１２２と、導光部１２７（導光板）とを有する。平板部１２２は、誘導灯装置１００の外側に露出する部分であり、例えば正方形板状である。平板部１２２の表側の面には、避難誘導図形１２４（表示部）が、中央に大きく描かれている。また、避難誘導図形１２４に隣接する周囲には、透光部１２３が設けられている。透光部１２３は、透明であり、光を拡散せず、そのまま透過する。導光部１２７は、避難誘導図形１２４の裏側に位置する。導光部１２７は、主光源モジュール１８０の光源１８２が放射した光を導いて、避難誘導図形１２４を照らす。避難誘導図形１２４は、導光部１２７が導いた光によって裏側から照らされ、略均一に発光する。なお、導光部１２７は、平板部１２２と別部品であってもよい。
外周光源モジュール１３０は、透光部１２３の裏側に配置されている。外周光源モジュール１３０は、光源を有する。外周光源モジュール１３０は、電源ユニット１６０から電力の供給を受けて、光源を点灯する。外周光源モジュール１３０の光源が放射した光は、透光部１２３を通して、誘導灯装置１００の外部に放射される。
ハーネス１９４は、複数の外周光源モジュール１３０の間を、物理的・電気的に接続している。
ハーネス１９３は、電源ユニット１６０に接続される。ハーネス１９３は、電源ユニット１６０と、外周光源モジュール１３０との間を物理的・電気的に接続する。
【００１２】
図４は、この実施の形態における誘導パネル１２１の構造を示す正視図及び断面図である。
平板部１２２は、例えば、溝部１２５と、係合部１２６とを有する。溝部１２５は、透光部１２３の裏側に設けられている。溝部１２５は、外周光源モジュール１３０の光源を収めるための空間である。係合部１２６は、溝部１２５の両側に設けられている。係合部１２６は、外周光源モジュール１３０と係合し、外周光源モジュール１３０を位置決めする。
導光部１２７は、例えば、入射部１２８と、拡散反射部１２９とを有する。入射部１２８は、パネルユニット１２０を本体１１０に取り付けたとき、主光源モジュール１８０の光源１８２の正面に位置する。入射部１２８は、光源１８２が放射した光を導光部１２７のなかに取り込む。拡散反射部１２９は、光源１８２が放射して入射部１２８から取り込まれた光を拡散反射して、避難誘導図形１２４を照射させる。
【００１３】
図５は、この実施の形態における外周光源モジュール１３０の構造を示す正視図及び断面図である。
外周光源モジュール１３０（ＬＥＤモジュール）は、例えば、基板１３１と、光源１３２と、コネクタ１３３とを有する。光源１３２は、例えばＬＥＤパッケージなど、点光源もしくは発光部分の面積が比較的狭い光源である。光源１３２は、黄色あるいは橙色の光を放射する。光源１３２が放射する光の主波長は、例えば、５５０ｎｍ以上６２０ｎｍ以下であり、望ましくは、５７０ｎｍ以上６１０ｎｍ以下である。この波長帯の光は、煙が充満した状態でも視認性に優れているからである。また、光源１３２は、指向性が強い光を放射する。光源１３２が放射する光の２分の１ビーム角は、例えば、３０度以下であり、望ましくは、５度以下である。「２分の１ビーム角」とは、回転対称な配光を有する光源の配光特性を表わす指標のひとつであり、光源１３２が最も強い光を放射する中心方向に対して、その２分の１の強さの光を放射する方向がなす角度のことである。光源１３２は、基板１３１に実装されている。
コネクタ１３３は、ハーネス１９３，１９４と係合して、物理的・電気的に接続する。コネクタ１３３は、基板１３１に実装されている。
基板１３１は、例えばプリント配線板である。基板１３１には、プリント配線や基板１３１に実装された部品などにより、一方のコネクタ１３３に接続したハーネス１９３，１９４を介して電源ユニット１６０から供給された電力を光源１３２に対して供給するとともに、他方のコネクタ１３３に接続したハーネス１９４を介して他の外周光源モジュール１３０に供給する回路が形成されている。
【００１４】
外周光源モジュール１３０を、誘導パネル１２１の係合部１２６に係合させて配置することにより、光源１３２は、避難誘導図形１２４の周囲に配置される。光源１３２は、誘導パネル１２１の平板部１２２に対して略垂直な方向を中心とする方向へ向けて光を放射する。複数の光源１３２は、ほぼ同じ方向へ向けて光を放射する。光源１３２が放射した光は、透光部１２３を通り、そのまま平板部１２２に対して略垂直な方向を中心とする方向へ向けて出射される。
【００１５】
図６は、この実施の形態における誘導灯システム８００及び誘導灯装置１００を示すブロック図である。
誘導灯システム８００は、例えば、誘導灯装置１００と、煙感知装置８１０とを有する。煙感知装置８１０（煙感知器）は、誘導灯装置１００の近くに設置される。煙感知装置８１０は、煙を感知し、煙感知信号を出力する。煙感知装置８１０が出力する煙感知信号は、煙感知装置８１０が感知した煙の濃度の値を表わすものであってもよいし、煙感知装置８１０が感知した煙の濃度が所定の閾値を超えたか否かを表わすものであってもよい。なお、煙感知装置８１０は、誘導灯装置１００と一体に形成されたものであってもよい。
誘導灯装置１００は、平常時において、商用電源などの電源ＡＣから電力の供給を受けて動作する。誘導灯装置１００は、例えば、電源ユニット１６０と、バッテリー１７０と、主光源回路１８５と、副光源回路１３５とを有する。主光源回路１８５は、上述した主光源モジュール１８０に形成された回路である。また、副光源回路１３５は、上述した複数の外周光源モジュール１３０に形成された回路をハーネス１９４で接続した回路である。
電源ユニット１６０は、例えば、停電検出回路１６１と、電源回路１６２と、制御回路１６３と、主点灯回路１６４と、副点灯回路１６５とを有する。
停電検出回路１６１は、電源ＡＣからの電力供給の有無を検出し、平常時か停電時かを判定する。停電検出回路１６１は、判定した結果を表わす停電検出信号を出力する。
電源回路１６２（電源電圧切替回路）は、停電検出回路１６１が出力した停電検出信号を入力する。電源回路１６２は、入力した停電検出信号に基づいて、平常時であれば、電源ＡＣから供給された電力を、バッテリー１７０を充電する電力や、制御回路１６３や主点灯回路１６４や副点灯回路１６５を動作させるための電力に変換する。また、電源回路１６２は、入力した停電検出信号に基づいて、停電時であれば、バッテリー１７０を放電することにより得られる電力を、制御回路１６３や主点灯回路１６４や副点灯回路１６５を動作させるための電力に変換する。
制御回路１６３（点灯制御部）は、例えばマイコンである。制御回路１６３は、電源回路１６２から供給される電力により動作する。制御回路１６３は、停電検出回路１６１が出力した停電検出信号と、煙感知装置８１０が出力した煙感知信号とを入力する。制御回路１６３は、入力した停電検出信号と、煙感知信号とに基づいて、主点灯回路１６４の動作を制御する主制御信号と、副点灯回路１６５の動作を制御する副制御信号とを生成する。制御回路１６３は、生成した主制御信号と副制御信号とを出力する。
主点灯回路１６４（誘導灯主光源点灯回路）は、制御回路１６３が出力した主制御信号を入力する。主点灯回路１６４は、入力した主制御信号が表わす指示に基づいて、電源回路１６２から供給された電力を、主光源回路１８５に供給する電力に変換する。
副点灯回路１６５（外周ＬＥＤ点灯回路）は、制御回路１６３が出力した副制御信号を入力する。副点灯回路１６５は、入力した副制御信号が表わす指示に基づいて、電源回路１６２から供給された電力を、副光源回路１３５に供給する電力に変換する。
【００１６】
制御回路１６３は、例えば、次のように、主点灯回路１６４及び副点灯回路１６５を制御する。
停電検出回路１６１が停電を検出せず、かつ、煙感知装置８１０が煙を感知しない場合（煙感知装置８１０が感知した煙の濃度が閾値より低い場合を含む。以下同じ。）、制御回路１６３は、主点灯回路１６４を動作させ、主光源モジュール１８０の光源１８２を平常時の明るさで点灯させる。これにより、避難誘導図形１２４が面発光する。また、制御回路１６３は、副点灯回路１６５を動作させず、外周光源モジュール１３０の光源１３２を消灯させる。
停電検出回路１６１が停電を検出し、かつ、煙感知装置８１０が煙を感知しない場合、制御回路１６３は、主点灯回路１６４を動作させ、主光源モジュール１８０の光源１８２を停電時の明るさで点灯させる。これにより、避難誘導図形１２４が面発光する。また、制御回路１６３は、副点灯回路１６５を動作させず、外周光源モジュール１３０の光源１３２を消灯させる。
停電検出回路１６１が停電を検出せず、かつ、煙感知装置８１０が煙を感知した場合（あるいは、煙感知装置８１０が感知した煙の濃度が閾値より高い場合。以下同じ。）、制御回路１６３は、主点灯回路１６４を動作させ、主光源モジュール１８０の光源１８２を平常時よりも明るく点灯させる。これにより、避難誘導図形１２４が面発光する。また、制御回路１６３は、副点灯回路１６５を動作させ、外周光源モジュール１３０の光源１３２を点灯させる。
停電検出回路１６１が停電を検出し、かつ、煙感知装置８１０が煙を感知した場合、制御回路１６３は、主点灯回路１６４を動作させ、主光源モジュール１８０の光源１８２を停電時の明るさで点灯させる。また、制御回路１６３は、副点灯回路１６５を動作させ、外周光源モジュール１３０の光源１３２を点灯させる。
すなわち、外周光源モジュール１３０の光源１３２は、煙感知装置８１０が煙を感知した場合に点灯する。
【００１７】
図７は、この実施の形態における誘導灯装置１００の周辺における避難誘導図形１２４の見かけ上の輝度を示す図である。
網掛けの密度が高いほど、見かけ上の輝度が高いことを示す。
屋内に煙が充満している状態では、光が煙に当たって乱反射するので、避難誘導図形１２４から届く光は、誘導灯装置１００からの距離が遠くなるにしたがって減衰する。
避難誘導図形１２４の見かけ上の輝度は、誘導灯装置１００からの距離が遠くなるにしたがって低くなるので、誘導灯装置１００から離れた位置では、避難誘導図形１２４を視認しにくくなる場合がある。
【００１８】
図８は、この実施の形態における誘導灯装置１００の周辺における透光部１２３を通して見える光源１３２の見かけ上の輝度を示す図である。
網掛けの密度が高いほど、見かけ上の輝度が高いことを示す。
光源１３２は、点光源もしくはそれに近い光源なので、避難誘導図形１２４に比べて輝度が非常に高い。このため、屋内に煙が充満している状態でも、光源１３２が遠くから見える。
更に、光源１３２が放射した指向性の強い光が煙に乱反射することにより、空中に光の筋が浮かび上がって見える。このため、光源１３２が光を放射する方向以外の方向から見ても、誘導灯装置１００の存在を認識することができる。空中に浮かぶ光の筋を辿ることにより、誘導灯装置１００の位置を認識することができるので、安全かつ迅速に避難をすることができる。
【００１９】
また、屋内に煙が充満していない場合、光源１３２を点灯すると、光源１３２が発した光が直接見える位置にいる人には、眩し過ぎて、避難誘導図形１２４が見えにくくなる。このため、煙感知装置８１０が煙を感知しない場合は、光源１３２を消灯する。
【００２０】
このように、煙感知装置８１０が煙を感知した場合は、避難誘導図形１２４が視認しにくくなるので、光源１３２を点灯することにより、誘導灯装置１００の位置を認識させ、安全かつ迅速に避難できるようにする。また、煙感知装置８１０が煙を感知しない場合は、光源１３２を消灯することにより、避難誘導図形１２４を視認しやすくする。
また、光源１３２の指向性が強いので、煙に乱反射した光が筋状に見え、誘導灯装置１００の位置を認識しやすい。複数の光源１３２が避難誘導図形１２４の周囲に配置され、光を放射する方向がほぼ同じなので、光の筋が太く見え、誘導灯装置１００の位置を認識しやすい。
また、光源１３２が発する光が、黄色あるいはオレンジ色なので、煙が充満していても視認性が高い。
【００２１】
なお、煙感知装置８１０が煙を感知した場合、制御回路１６３は、外周光源モジュール１３０の光源１３２を点滅させる構成であってもよい。例えば、制御回路１６３が、副点灯回路１６５を動作させ、停止させることを繰り返す構成であってもよいし、副点灯回路１６５のなかに点滅制御回路を設け、制御回路１６３が点滅動作を指示する副制御信号を生成し、副点灯回路１６５の点滅制御回路が、副制御信号による指示にしたがって、副光源回路１３５に対して電力を供給し、停止することを繰り返す構成であってもよい。
これにより、誘導灯装置１００の位置を更に認識しやすくなる。また、光源１３２を点滅させることにより、外周光源モジュール１３０における平均消費電力を抑えることができるので、停電時における誘導灯装置１００の点灯時間を長くすることができる。
【００２２】
また、煙感知装置８１０が煙を感知した場合、制御回路１６３は、主光源モジュール１８０の光源１８２を、煙感知装置８１０が煙を感知しない場合よりも暗く点灯させる構成であってもよい。煙感知装置８１０が煙を感知した場合は、外周光源モジュール１３０の光源１３２が点灯（あるいは点滅）するので、避難誘導図形１２４の輝度を低くしても、誘導灯装置１００の位置を認識させることができる。これにより、主光源モジュール１８０における消費電力を抑えることができるので、停電時における誘導灯装置１００の点灯時間を長くすることができる。
あるいは、更に、煙感知装置８１０が煙を感知し、かつ、停電検出回路１６１が停電を検出した場合、制御回路１６３は、主光源モジュール１８０の光源１８２を点滅させ、あるいは、消灯させる構成であってもよい。そうすれば、主光源モジュール１８０における消費電力を更に抑えることができるので、停電時における誘導灯装置１００の点灯時間を更に長くすることができる。
【００２３】
実施の形態２．
実施の形態２について、図９を用いて説明する。
なお、実施の形態１と共通する部分については、同一の符号を付し、説明を省略する。
【００２４】
図９は、この実施の形態における誘導パネル１２１の構造を示す側面視拡大断面図である。
係合部１２６のうち、導光部１２７の上側及び下側に位置する溝部１２５の部分に設けられている係合部１２６は、溝部１２５の上側に設けられた係合部１２６のほうが、溝部１２５の下側に設けられた係合部１２６よりも深い。
これにより、係合部１２６に係合する外周光源モジュール１３０は、斜め下方向に傾いた状態となり、外周光源モジュール１３０の光源１３２は、矢印で示したように、斜め下方向に傾いた方向へ向けて光を放射する。
【００２５】
誘導灯装置１００が、天井面や避難口の上の壁面など、高い位置に設置される場合、光源１３２が放射した光が斜め下方向を向いていることにより、光源１３２が放射した光が、屋内にいる人の目に直接入る可能性が高くなる。また、煙に乱反射した光の筋が、斜め下方向へ向かうので、屋内にいる人が気づく可能性が高くなる。これにより、誘導灯装置１００の位置を認識させることができ、安全かつ迅速に避難することができる。
【００２６】
なお、避難誘導図形１２４の上側及び下側に配置された光源１３２だけでなく、避難誘導図形１２４の左側及び右側に配置された光源１３２も、放射する光が斜め下方向へ向かうよう、外周光源モジュール１３０を配置する構成であってもよい。
【００２７】
実施の形態３．
実施の形態３について、図１０を用いて説明する。
なお、実施の形態１または実施の形態２と共通する部分については、同一の符号を付し、説明を省略する。
【００２８】
図１０は、この実施の形態における誘導パネル１２１の構造を示す底面視拡大断面図である。
係合部１２６のうち、導光部１２７の左側及び右側に位置する溝部１２５の部分に設けられている係合部１２６は、溝部１２５の内側に設けられた係合部１２６のほうが、溝部１２５の外側に設けられた係合部１２６よりも深い。
これにより、係合部１２６に係合する外周光源モジュール１３０は、斜め外方向に傾いた状態となり、外周光源モジュール１３０の光源１３２は、矢印で示したように、斜め外方向に傾いた方向へ向けて光を放射する。
【００２９】
このように、複数の光源１３２が光を放射する方向を異なる方向とし、外側へ広がる方向へ向けることにより、光源１３２が放射した光を直接見ることができる範囲が広くなる。また、煙に乱反射した光の筋が太くなり、誘導灯装置１００の位置を認識しやすい。
【００３０】
なお、避難誘導図形１２４の左側及び右側に配置された光源１３２だけでなく、避難誘導図形１２４の上側及び下側に配置された光源１３２も、放射する光が斜め外方向へ向かうよう、外周光源モジュール１３０を配置する構成であってもよい。
【００３１】
実施の形態４．
実施の形態４について、図１１を用いて説明する。
なお、実施の形態１〜実施の形態３と共通する部分については、同一の符号を付し、説明を省略する。
【００３２】
図１１は、この実施の形態における誘導パネル１２１の構造を示す底面視拡大断面図である。
係合部１２６のうち、導光部１２７の左側及び右側に位置する溝部１２５の部分に設けられている係合部１２６は、溝部１２５の外側に設けられた係合部１２６のほうが、溝部１２５の内側に設けられた係合部１２６よりも深い。
これにより、係合部１２６に係合する外周光源モジュール１３０は、斜め内方向に傾いた状態となり、外周光源モジュール１３０の光源１３２は、矢印で示したように、斜め内方向に傾いた方向へ向けて光を放射する。
【００３３】
このように、複数の光源１３２が光を放射する方向を異なる方向とし、内側に集まる方向へ向けることにより、煙に乱反射した光の筋が明るくなり、誘導灯装置１００の位置を認識しやすい。
【００３４】
なお、避難誘導図形１２４の左側及び右側に配置された光源１３２だけでなく、避難誘導図形１２４の上側及び下側に配置された光源１３２も、放射する光が斜め内方向へ向かうよう、外周光源モジュール１３０を配置する構成であってもよい。
【００３５】
実施の形態５．
実施の形態５について、図１２を用いて説明する。
なお、実施の形態１〜実施の形態４と共通する部分については、同一の符号を付し、説明を省略する。
【００３６】
図１２は、この実施の形態における誘導灯システム８００及び誘導灯装置１００を示すブロック図である。
誘導灯システム８００は、実施の形態１で説明した構成に加えて、更に、温度感知装置８２０（熱感知器）を有する。温度感知装置８２０は、誘導灯装置１００の近くに設置される。なお、温度感知装置８２０は、誘導灯装置１００と一体に形成されたものであってもよい。温度感知装置８２０は、誘導灯装置１００の周辺の温度を感知し、温度感知信号を出力する。温度感知装置８２０が出力する温度感知信号は、温度感知装置８２０が感知した温度の値を表わすものであってもよいし、温度感知装置８２０が感知した温度が所定の閾値を超えたか否かを表わすものであってもよい。
【００３７】
制御回路１６３は、停電検出回路１６１が出力した停電検出信号と、煙感知装置８１０が出力した煙感知信号と、温度感知装置８２０が出力した温度感知信号とを入力する。制御回路１６３は、入力した停電検出信号と、煙感知信号と、温度感知信号とに基づいて、主点灯回路１６４の動作を制御する主制御信号と、副点灯回路１６５の動作を制御する副制御信号とを生成する。
【００３８】
制御回路１６３は、例えば、次のように、主点灯回路１６４及び副点灯回路１６５を制御する。
温度感知装置８２０が感知した温度が閾値より低い場合、制御回路１６３は、例えば実施の形態１で説明したのと同様にして、主点灯回路１６４及び副点灯回路１６５を制御する。
温度感知装置８２０が感知した温度が閾値より高い場合、制御回路１６３は、主点灯回路１６４及び副点灯回路１６５を動作させず、主光源モジュール１８０の光源１８２及び外周光源モジュール１３０の光源１３２を消灯させる。
【００３９】
温度感知装置８２０が感知した温度が閾値より高い場合、誘導灯装置１００の近くに炎が迫っている可能性がある。誘導灯装置１００のある方向へ避難するとかえって危険なため、誘導灯装置１００は、光源１８２及び光源１３２を消灯する。
【００４０】
このように、温度感知装置８２０が感知した温度が閾値より高い場合、誘導灯装置１００は、避難誘導をせず、屋内にいる人を、他の誘導灯装置などの誘導にしたがって避難させることにより、安全かつ迅速に避難させることができる。
【００４１】
なお、温度感知装置８２０は、誘導灯装置１００の近くに配置するのではなく、誘導灯装置１００が誘導する先の非常口の近くや避難経路の途中に配置する構成であってもよい。
【００４２】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
【符号の説明】
【００４３】
１００  誘導灯装置、１１０  本体、１２０  パネルユニット、１２１  誘導パネル、１２２  平板部、１２３  透光部、１２４  避難誘導図形、１２５  溝部、１２６  係合部、１２７  導光部、１２８  入射部、１２９  拡散反射部、１３０  外周光源モジュール、１３１，１８１  基板、１３２，１８２  光源、１３３  コネクタ、１３５  副光源回路、１６０  電源ユニット、１６１  停電検出回路、１６２  電源回路、１６３  制御回路、１６４  主点灯回路、１６５  副点灯回路、１７０  バッテリー、１８０  主光源モジュール、１８５  主光源回路、１９１，１９２，１９３，１９４  ハーネス、８００  誘導灯システム、８１０  煙感知装置、８２０  温度感知装置、ＡＣ  電源。
【図１】
2012247845.tif 000003
【図２】
2012247845.tif 000004
【図３】
2012247845.tif 000005
【図４】
2012247845.tif 000006
【図５】
2012247845.tif 000007
【図６】
2012247845.tif 000008
【図７】
2012247845.tif 000009
【図８】
2012247845.tif 000010
【図９】
2012247845.tif 000011
【図１０】
2012247845.tif 000012
【図１１】
2012247845.tif 000013
【図１２】
2012247845.tif 000014